(57)【要約】【課題】カメラのＶＦベースに設けられた穴部に沿って摺動するビューファインダ取付を固定するためのロック機構を小型化することができ、且つロックレバーによる固定操作がスムーズに行え、操作性の向上が図れるカメラ用ビューファインダ固定構造を提供する。  【解決手段】ＶＦベース１０は、基本的には、ＶＦベース上部１１と、ビューファインダ取付３０の水平部３２の底部が前後方向にスライド移動する際に接触するスライドベース１５とから成り、更に、前記スライドベース１５にねじ構造を用いて取り付けられる軸１３と、軸１３に固着され、回すことで軸１３をスラスト方向に移動させるためのロックレバー１４と、スライドベース１５に設けられた左側方向に所定の角度の傾斜部１５ａを有する矩形の穴に挿入されるロック用ブロック１６とで構成される。【選択図】  図５
2009122488.tif 000002
【特許請求の範囲】
【請求項１】
天面に平面部を有するベース部と、該ベース部の天面を底面とする穴部とを備えた取付支持部材と、前記取付支持部材の穴部に嵌合し、前記ベース部の天面の平面部を底面で前後方向に摺動可能なビューファインダ取付部材とを用いるカメラ用ビューファインダ固定構造において、
前記ベース部に、天面が矩形形状の開口であって、前記ビューファインダ取付部材の摺動方向と直交する方向の一方の面が傾斜面、その他３方の面が垂直面である凹部と、該凹部の前記傾斜面とは反対の垂直面に外側から雌ねじ加工を施した貫通穴とを備え、
更に、前記凹部に嵌合し、該凹部と略同一の傾斜面を有する天面が矩形形状のブロックと、前記貫通穴にねじ構造を用いて取り付けられる軸とを備え、
前記貫通穴と前記軸との間のねじ嵌合によるねじ回転に応じて、前記軸が前記ブロックに向かって移動することで前記ブロックが押され、前記ブロックの傾斜面がベース部の傾斜面に沿って斜め上方に移動し、前記ブロックの上方に位置する前記ビューファインダ取付部材の底面を押し上げることで、前記取付支持部材の穴部でビューファインダ取付部材の固定が為されることを特徴とするカメラ用ビューファインダ固定構造。
【請求項２】
請求項１記載のカメラ用ビューファインダ固定構造において、
更に、前記ブロックの水平方向略中央に円柱形の貫通穴部を設けると共に、該貫通穴部に嵌合し、該貫通穴部の下部に配置された弾性体によって上方に押し上げられる樹脂製スライダとを備え、該樹脂製スライダを常に前記ビューファインダ取付部材の底面に突き当てるようにしたことを特徴とするカメラ用ビューファインダ固定構造。
【発明の詳細な説明】
【技術分野】
【０００１】
本発明は、カメラにビューファインダを取り付けるためのビューファインダ取付装置に関し、特に、ビューファインダを前後、並びに左右方向に移動できるようにしたビデオカメラのビューファインダ取付装置を任意の位置で容易に固定或いは解除させるためのカメラ用ビューファインダ固定構造に関するものである。
【背景技術】
【０００２】
従来のカメラ用ビューファインダ固定装置として、例えば特許文献１（特開２０００−０２２３４２号公報）に記載のものが知られている。特許文献１では、両側面に並行して設けられた溝を有するテレビジョンカメラのキャリングハンドルに、該キャリングハンドルの溝間を挟み込むように設けられ、溝にそれぞれ嵌合すると共に、溝に沿って摺動するようにした一対のレールを有するビューファインダ取付部材を固定する際に、一対のレールの一方がイタバネを介してビューファインダ取付部材に接続され、ねじ構造を用いてビューファインダ取付部材に取り付けられた軸が、ねじ部の回転に応じてイタバネに接続されたレールを押すことで、該レールがキャリングハンドルの溝に押し付けられ、キャリングハンドルにビューファインダ取付部材が保持されるようにしたものである。
【０００３】
【特許文献１】特開２０００−０２２３４２号公報
【発明の開示】
【発明が解決しようとする課題】
【０００４】
しかしながら、上記従来のカメラ用ビューファインダ固定装置では、ねじ構造を用いてビューファインダ取付部材に取り付けられた軸が、ねじ部の回転に応じてビューファインダ取付部材に接続されたイタバネを押すことで、イタバネがたわみ、イタバネに固定されたレール全体がハンドルの溝に押し付けられることによって、キャリングハンドルにビューファインダ取付部材が保持される。
つまり、ビューファインダ取付部材の軸に働くスラスト荷重が、直接イタバネを変形させ、キャリングハンドルの溝にレール全体を押し付ける力となって作用するが、元来イタバネに固定されたレールは、ビューファインダ取付部材がキャリングハンドルの溝に沿って摺動するために設けられたものであって、キャリングハンドル上でビューファインダを安定して摺動動作させるためには、カメラの前後方向にある程度の長さが必要である。また、カメラの左右方向に、レールを押すための軸や軸を回転させるためのレバーを設けるためには、カメラの左右方向にある程度の広さが必要であり、したがって、ビューファインダ固定装置として水平面上に大きなスペースを必要とすることから、カメラが大型化してしまうという問題があった。
【０００５】
本発明は、このような従来の事情に鑑みなされたものであり、ビデオカメラや記録部付きのカメラ（カムコーダ）のビューファインダベース（以下、ＶＦベースと称す）に設けられた穴部に沿って摺動するビューファインダ取付を固定するためのロック機構を小型化することができ、且つロックレバーによる固定操作がスムーズに行え、操作性の向上が図れるカメラ用ビューファインダ固定構造を提供することを目的とする。
【課題を解決するための手段】
【０００６】
上述した課題を解決し、目的を達成するため、本発明の請求項１に係るカメラ用ビューファインダ固定構造は、天面に平面部を有するベース部と、該ベース部の天面を底面とする穴部とを備えた取付支持部材と、前記取付支持部材の穴部に嵌合し、前記ベース部の天面の平面部を底面で前後方向に摺動可能なビューファインダ取付部材とを用いるカメラ用ビューファインダ固定構造において、前記ベース部に、天面が矩形形状の開口であって、前記ビューファインダ取付部材の摺動方向と直交する方向の一方の面が傾斜面、その他３方の面が垂直面である凹部と、該凹部の前記傾斜面とは反対の垂直面に外側から雌ねじ加工を施した貫通穴とを備え、更に、前記凹部に嵌合し、該凹部と略同一の傾斜面を有する天面が矩形形状のブロックと、前記貫通穴にねじ構造を用いて取り付けられる軸とを備え、  前記貫通穴と前記軸との間のねじ嵌合によるねじ回転に応じて、前記軸が前記ブロックに向かって移動することで前記ブロックが押され、前記ブロックの傾斜面がベース部の傾斜面に沿って斜め上方に移動し、前記ブロックの上方に位置する前記ビューファインダ取付部材の底面を押し上げることで、前記取付支持部材の穴部でビューファインダ取付部材の固定が為されることを特徴とする。
【０００７】
上述した課題を解決し、目的を達成するため、本発明の請求項２に係るカメラ用ビューファインダ固定構造は、請求項１記載のカメラ用ビューファインダ固定構造において、更に、前記ブロックの水平方向略中央に円柱形の貫通穴部を設けると共に、該貫通穴部に嵌合し、該貫通穴部の下部に配置された弾性体によって上方に押し上げられる樹脂製スライダとを備え、該樹脂製スライダを常に前記ビューファインダ取付部材の底面に突き当てるようにしたことを特徴とする。
【発明の効果】
【０００８】
本発明によれば、カメラのＶＦベースに設けられた穴部に沿って摺動するビューファインダ取付を固定するためのロック機構を小型化することができ、且つロックレバーによる固定操作がスムーズに行え、操作性の向上が図れるカメラ用ビューファインダ固定構造を提供することができるという効果がある。
【発明を実施するための最良の形態】
【０００９】
以下に、本発明の一実施例について、図面を参照しながら説明する。図１は、本発明の実施例におけるビューファインダを取り付けた状態のビデオカメラの斜視図であり、図（ａ）は全体図を示し、図（ｂ）は図（ａ）におけるビューファインダ取付箇所の拡大図を示す。また、図２は、ＶＦベースにビューファインダを取り付ける際の取付方法を説明するための斜視図であり、図３は、ＶＦベースの詳細を示す斜視図である。図４は、図３のＡ―Ａで切断した側面断面図であり、また、図５は、図３のＢ―Ｂで切断した正面断面図である。以下、図４及び図５の紙面上方向を上、下方向を下、図４の紙面左方向を前、右方向を後、図５の紙面左方向を左、右方向を右とする。
【００１０】
図１に示すように、１は本発明実施のビューファインダ５０を取り付けた状態のビデオカメラであり、ビデオカメラ１は、カメラヘッド２と、そのカメラヘッド２にビデオ・テープ・レコーダ（ＶＴＲ）３、若しくは、映像信号ケーブルからの映像信号や連絡信号、各種制御信号などの送出のための送受信アタッチメントとで構成され、ＶＴＲ３、若しくは、送受信アタッチメントを交換可能に接続できるようになっている。
また、本発明はビデオカメラに限定されるものではなく、記録部付きカメラ（カムコーダ）や静止画カメラ（デジタルカメラ）にも適用できる。
１０は、カメラヘッド２を構成する構成品の一つであるビューファインダベース（以下、ＶＦベースと称す）であり、該ＶＦベース２を介してビューファインダ５０がビデオカメラ１に取り付けられる。
ここで、ＶＦベース１０にビューファインダ５０を取り付ける際の取付方法について、図２、図３を用いて説明する。
図２は、ＶＦベース１０にビューファインダ５０を取り付ける前の状態を表している。ＶＦベース１０は、前方に開口のある断面が台形形状の穴部を有しており、該穴部に嵌合し、該穴部の中で図３の矢印Ｌ方向（前後方向）に摺動動作するビューファインダ取付３０を備えている。また、ビューファインダ取付３０は、上下に凹溝３１ａと凹溝３１ｂが形成された直立部３１と、前記ＶＦベース１０の断面が台形形状の穴に嵌合する水平部３２とで構成されている。
ビューファインダ５０をビューファインダ取付３０の直立部３１に取り付ける場合、ビューファインダ５０の嵌合部５１の上下に設けられた凸レール（図示せず）をビューファインダ取付３０の直立部３１に形成された上下の凹溝３１ａ、凹溝３１ｂの位置に合わせ、図２の白抜きの矢印Ｆ方向から移動させて、凸レールと凹溝３１を係合させることで、ビューファインダ５０が図３の矢印Ｗ方向（左右方向）にスライド移動できるようになる。また、所望の位置でロックレバー５２を回し、従来技術で示した引用文献１等の技術を使うことで、ビューファインダ５０の左右方向での位置固定が為される。
【００１１】
次に、図４及び図５を使って、ビューファインダ取付３０の水平部３２がＶＦベース１０に設けられた台形形状の穴部に嵌合し前後方向にスライド移動する際の所定位置での固定方法について説明する。
【００１２】
図４及び図５に示すように、ＶＦベース１０は、基本的には、ＶＦベース上部１１と、ビューファインダ取付３０の水平部３２の底部が前後方向にスライド移動する際に接触するスライドベース１５とから構成され、更に、ビューファインダ取付３０の水平部３２を所定の位置で固定するための構成として、前記スライドベース１５にねじ構造を用いて取り付けられる軸１３と、軸１３に固着され、回すことで軸１３をスラスト方向に移動させるためのロックレバー１４と、スライドベース１５に設けられた左側方向に所定の角度の傾斜部１５ａを有する矩形の穴に挿入されるロック用ブロック１６と、該ロック用ブロック１６の略中央部に設けた円柱形の貫通穴部に収納され、スライドベース１５の底部にネジ２０で固着されたスライダ支持板１９で支持されたバネ１８によって上方に押し上げられるスライダ１７とから成る。
尚、スライダ１７は、強度、耐衝撃性、及び摺動特性に優れたポリアセタール樹脂等で製作するのが望ましい。
【００１３】
ビューファインダ取付３０の水平部３２をＶＦベース１０に設けられた台形形状の穴部に嵌合させ、ビューファインダ取付３０を前後方向にスライド移動中に所望の位置で固定する場合、図５に示すように、ロックレバー１４を手で回すことにより、上記ねじ構造によるねじ部の回転に応じて、ロックレバー１４に固着された軸１３がスラスト方向（左方向）に移動することで、ロック用ブロック１６が軸１３によって左方向に押され、左方向に移動する。
更に、図５に示すように、左方向に押されたロック用ブロック１６は、左側に設けられた傾斜部１６ａがスライドベース１５の傾斜部１５ａの傾斜面に沿って斜め上方に移動し、上方に位置するビューファインダ取付３０の水平部３２をＶＦベース上部１１の内面１１ａ、１１ｂに押し付けることで、該位置でビューファインダ取付３０の固定が為される。
尚、ビューファインダ取付３０の水平部３２におけるロック用ブロック１６が接する底部は、図４に示すように、凹形状部３２ａを成しており、ビューファインダ取付３０の前後方向でのスライド可動範囲が規制され、ビューファインダ取付３０がＶＦベース１０の台形形状の穴部から脱落しないようになっている。
【００１４】
更に、ロック用ブロック１６が軸１３に押されて左方向に移動する際に、ロック用ブロック１６内に収納されたスライダ１７が、バネ１８の作用によって、常にビューファインダ取付３０の水平部３２の凹形状部３２ａに突き当てられていることから、ビューファインダ取付３０の前後方向でのスライド移動及び固定操作をスムーズに行うことができる。
このように、本発明の実施例のカメラ用ビューファインダ固定構造は、ビデオカメラのＶＦベースに設けられた穴部に沿って摺動するビューファインダ取付を固定するためのロック機構を小型化することができ、且つロックレバーによる固定操作がスムーズに行え、操作性の向上を図ることができる。
【図面の簡単な説明】
【００１５】
【図１】本発明の実施例におけるビューファインダを取り付けた状態でのビデオカメラの斜視図であり、図（ａ）は全体図を示し、図（ｂ）は図（ａ）におけるビューファインダ取付箇所の拡大図を示す。
【図２】ＶＦベースにビューファインダを取り付ける際の取付方法を説明するための斜視図を示す。
【図３】ＶＦベースの詳細を示す斜視図である。
【図４】図３のＡ―Ａで切断した側面断面図である。
【図５】図３のＢ―Ｂで切断した正面断面図である。
【符号の説明】
【００１６】
１：ビデオカメラ、２：カメラヘッド、３：ＶＴＲ、１０：ＶＦベース、１１：ＶＦベース上部、１３：軸、１４：ロックレバー、１５：スライドベース、１５ａ：傾斜部、１６：ロック用ブロック、１６ａ：傾斜部、１７：スライダ、１８：バネ、１９：スライダ支持板、２０：ネジ、３０：ビューファインダ取付、３１：直立部、３１ａ：凹溝、３１ｂ：凹溝、３２：水平部、３２ａ：凹形状部、５０：ビューファインダ、５１：嵌合部、５２：ロックレバー。
【図１】
2009122488.tif 000003
【図２】
2009122488.tif 000004
【図３】
2009122488.tif 000005
【図４】
2009122488.tif 000006
【図５】
2009122488.tif 000007